(57)【要約】  本開示の複数の態様によって、無線通信用の装置が提供される。本装置は、送受信機及び処理回路を含む。送受信機は、無線信号を送受信するように構成される。処理回路は、データ単位内にバッファ情報報告用のフィールドを設定することと、第１のカテゴリの一時保管トラフィックを示す第１の値をスケーリングするための第１のスケール因子と、あるカテゴリの一時保管トラフィックを示す第２の値をスケーリングするための第２のスケール因子とを決定することと、第１の値を有する第１のスケール因子と第２の値を有する第２のスケール因子とを含むようにフィールドを設定することと、データ単位を、別の装置に送信するために送受信機に供給することであって、当該別の装置は、これら２つの装置間で送信するためのリソースを割り当てる、供給することとを行うように構成される。
2019519162.tif 000002
【特許請求の範囲】
【請求項１】
無線通信用の装置であって、
無線信号を送受信するように構成された送受信機と、
処理回路と
を備え、
前記処理回路は、
データ単位内にバッファ情報報告用のフィールドを設定することと、
第１のカテゴリの一時保管トラフィックを示す第１の値をスケーリングするための第１のスケール因子と、第２のカテゴリの一時保管トラフィックを示す第２の値をスケーリングするための第２のスケール因子とを決定することと、
前記第１の値を有する前記第１のスケール因子と前記第２の値を有する前記第２のスケール因子とを含むように前記フィールドを設定することと、
前記データ単位を、別の装置に送信するために前記送受信機に供給することであって、前記別の装置は、これら２つの装置間で送信するためのリソースを割り当てる、供給することと
を行うように構成される、装置。
【請求項２】
前記処理回路は、バッファ情報報告を示す識別子で制御サブフィールドを設定するように構成される、請求項１に記載の装置。
【請求項３】
前記第１のカテゴリ及び前記第２のカテゴリは、トラフィック優先度にそれぞれ対応し、前記処理回路は、前記トラフィック優先度のトラフィック識別子を前記フィールドに含めるように構成される、請求項１又は２に記載の装置。
【請求項４】
前記第１のカテゴリは複数のトラフィック優先度を含み、前記処理回路は、前記複数のトラフィック優先度の一時保管トラフィックの総量を示す前記第１の値をスケーリングするための前記第１のスケール因子を決定するように構成される、請求項１から３のいずれか一項に記載の装置。
【請求項５】
前記データ単位は、データフィールドがない空フレームであり、前記データ単位が属する特定のトラフィッククラスの一時保管トラフィック情報を含むサービス品質フィールド（ＱｏＳフィールド）を有する、請求項１から４のいずれか一項に記載の装置。
【請求項６】
前記特定のトラフィッククラスが第１のトラフィッククラス及び第２のトラフィッククラスのうちの一方である場合、前記フィールド内の前記バッファ情報報告は前記ＱｏＳフィールドの前記一時保管トラフィック情報の大部分を占める、請求項５に記載の装置。
【請求項７】
前記処理回路は、前記データ単位を１つ又は複数の他のデータ単位と集約して集約データ単位を生成し、前記集約データ単位を、前記別の装置に送信するために前記送受信機に供給するように構成される、請求項５に記載の装置。
【請求項８】
前記処理回路は、サービス品質（ＱｏＳ）制御フィールド及び高効率（ＨＥ）可変高スループット（ＨＴ）制御フィールドのうちの一方に２つのビットを設定し、４つのスケール値のうちの１つを前記第１のスケール因子として選択するように構成される、請求項１から７のいずれか一項に記載の装置。
【請求項９】
無線通信のための方法であって、
ある装置がデータ単位内にバッファ情報報告用のフィールドを設定する段階と、
第１のカテゴリの一時保管トラフィックを示す第１の値をスケーリングするための第１のスケール因子と、第２のカテゴリの一時保管トラフィックを示す第２の値をスケーリングするための第２のスケール因子とを決定する段階と、
前記第１の値を有する前記第１のスケール因子と前記第２の値を有する前記第２のスケール因子とを前記データ単位内の前記フィールドに含める段階と、
前記データ単位を搬送する無線信号を別の装置に送信する段階であって、前記別の装置はこれら２つの装置の間で送信するためのリソースを割り当てる、段階と
を備える、方法。
【請求項１０】
前記装置が前記データ単位内にバッファ情報報告用の前記フィールドを設定する段階はさらに、バッファ情報報告を示す識別子で制御サブフィールドを設定する段階を有する、請求項９に記載の方法。
【請求項１１】
前記第１のカテゴリ及び前記第２のカテゴリは、それぞれトラフィック優先度に対応し、
前記方法は、前記トラフィック優先度のトラフィック識別子を前記フィールドに含める段階を備える、請求項９又は１０に記載の方法。
【請求項１２】
前記第１のカテゴリは複数のトラフィック優先度を含み、
前記方法は、前記複数のトラフィック優先度の一時保管トラフィックの総量を示す前記第１の値をスケーリングするための前記第１のスケール因子を決定する段階を備える、請求項９から１１のいずれか一項に記載の方法。
【請求項１３】
前記データ単位は、データフィールドがない空フレームであり、前記データ単位が属する特定のトラフィッククラスの一時保管トラフィック情報を含むサービス品質フィールド（ＱｏＳフィールド）を有する、請求項９から１２のいずれか一項に記載の方法。
【請求項１４】
前記特定のトラフィッククラスが第１のトラフィッククラス及び第２のトラフィッククラスのうちの一方である場合、前記フィールド内の前記バッファ情報報告は前記ＱｏＳフィールドの前記一時保管トラフィック情報の大部分を占める、請求項１３に記載の方法。
【請求項１５】
前記データ単位を１つ又は複数の他のデータ単位と集約して集約データ単位を生成する段階と、
前記集約データ単位を前記別の装置に搬送する無線信号を送信する段階と
をさらに備える、請求項９から１４のいずれか一項に記載の方法。
【請求項１６】
サービス品質（ＱｏＳ）制御フィールド及び高効率（ＨＥ）可変高スループット（ＨＴ）制御フィールドのうちの一方に２つのビットを設定し、４つのスケール値のうちの１つを前記第１のスケール因子として選択する段階をさらに備える、請求項９から１５のいずれか一項に記載の方法。
【請求項１７】
ある装置内のプロセッサに通信用の複数のオペレーションを実行させるためのプログラムであって、
前記複数のオペレーションは、
データ単位内にバッファ情報報告用のフィールドを設定するオペレーションと、
第１のカテゴリの一時保管トラフィックを示す第１の値をスケーリングするための第１のスケール因子と、第２のカテゴリの一時保管トラフィックを示す第２の値をスケーリングするための第２のスケール因子とを決定するオペレーションと、
前記第１の値を有する前記第１のスケール因子と前記第２の値を有する前記第２のスケール因子とを前記データ単位内の前記フィールドに含めるオペレーションと、
前記データ単位を搬送する無線信号を別の装置に送信する送受信機回路に前記データ単位を供給するオペレーションであって、前記別の装置は、これら２つの装置間で送信するためのリソースを割り当てる、オペレーションと
を含む、プログラム。
【請求項１８】
前記複数のオペレーションはさらに、バッファ情報報告を示す識別子で制御サブフィールドを設定するオペレーションを含む、請求項１７に記載のプログラム。
【請求項１９】
前記第１のカテゴリは複数のトラフィック優先度を含み、
前記複数のオペレーションは、前記複数のトラフィック優先度の一時保管トラフィックの総量を示す前記第１の値をスケーリングするための前記第１のスケール因子を決定するオペレーションを含む、請求項１７又は１８に記載のプログラム。
【請求項２０】
前記データ単位は、データフィールドがない空フレームであり、前記データ単位が属する特定のトラフィッククラスの一時保管トラフィック情報を含むサービス品質フィールド（ＱｏＳフィールド）を有する、請求項１７から１９のいずれか一項に記載のプログラム。
【発明の詳細な説明】
【技術分野】
【０００１】
［参照による組み込み］
本開示は、２０１６年６月２１日出願の米国仮特許出願第６２／３５２，７１９号「ＭＵリソース要求、ＴＩＤ選択、及び対応するルール（ＭＵ  ＲＥＳＯＵＲＣＥ  ＲＥＱＵＥＳＴ，  ＴＩＤ  ＳＥＬＥＣＴＩＯＮ，  ＡＮＤ  ＲＥＳＰＯＮＤＩＮＧ  ＲＵＬＥＳ）」の利益を主張し、当該米国仮特許出願は、その全体が参照により本明細書に組み込まれる。
【背景技術】
【０００２】
ここに提供する背景説明は、本開示の背景をおおまかに示すことを目的にしている。現在名前を挙げられている発明者らの成果は、当該成果がこの背景技術の項に記述される限りにおいて、そうでなければ出願時に先行技術とみなすことができない記述の各態様と同様に、本開示に対する先行技術として明示的にも黙示的にも認められていない。
【０００３】
無線ローカルエリアネットワーク（ＷＬＡＮ）が、家庭、学校、オフィスビル、商店、及びショッピングモールなどで利用され、２つ又はそれより多くのデバイスを限られたエリア内の無線接続を用いてネットワークにつなぐ。ＷＬＡＮによって、ユーザは限られたエリア内を動き回っても、まだネットワークに接続されていることが可能になる。さらに、ＷＬＡＮは、ワイドエリアネットワーク及びインターネットなどの他のネットワークへの接続も提供するように構成され得る。一般に、ＷＬＡＮは、ＩＥＥＥ８０２．１１規格などの規格に基づいて実現される。
【発明の概要】
【０００４】
本開示の複数の態様によって、無線通信用の装置が提供される。本装置は、送受信機及び処理回路を含む。送受信機は、無線信号を送受信するように構成される。処理回路は、データ単位内にバッファ情報報告用のフィールドを設定することと、第１のカテゴリの一時保管トラフィックを示す第１の値をスケーリングするための第１のスケール因子と、第２のカテゴリの一時保管トラフィックを示す第２の値をスケーリングするための第２のスケール因子とを決定することと、第１の値を有する第１のスケール因子と第２の値を有する第２のスケール因子とを含むようにフィールドを設定することと、データ単位を、別の装置に送信するために送受信機に供給することであって、当該別の装置は、これら２つの装置間で送信するためのリソースを割り当てる、供給することとを行うように構成される。
【０００５】
一例において、処理回路は、バッファ情報報告を示す識別子で制御サブフィールドを設定するように構成される。別の例では、第１のカテゴリ及び第２のカテゴリはトラフィック優先度にそれぞれ対応し、処理回路は、トラフィック優先度のトラフィック識別子を当該フィールドに含めるように構成される。
【０００６】
一実施形態において、第１のカテゴリは複数のトラフィック優先度を含み、処理回路は、複数のトラフィック優先度の一時保管トラフィックの総量を示す第１の値をスケーリングするための第１のスケール因子を決定するように構成される。別の実施形態において、データ単位は、データフィールドがない空フレームであり、データ単位が属する特定のトラフィッククラスの一時保管トラフィック情報を含むサービス品質（ＱｏＳ）フィールドを有する。さらに、特定のトラフィッククラスが、第１のトラフィッククラス及び第２のトラフィッククラスのうちの一方である場合、フィールド内のバッファ情報報告はＱｏＳフィールドの一時保管トラフィック情報の大部分を占める。
【０００７】
本開示の一態様によれば、処理回路は、データ単位を１つ又は複数の他のデータ単位と集約して集約データ単位を生成し、上記別の装置に送信するために当該集約データ単位を送受信機に供給するように構成される。
【０００８】
本開示の複数の態様によって、無線通信の方法が提供される。本方法は、ある装置がデータ単位内にバッファ情報報告用のフィールドを設定する段階と、第１のカテゴリの一時保管トラフィックを示す第１の値をスケーリングするための第１のスケール因子と、第２のカテゴリの一時保管トラフィックを示す第２の値をスケーリングするための第２のスケール因子とを決定する段階と、第１の値を有する第１のスケール因子と第２の値を有する第２のスケール因子とをデータ単位内のフィールドに含める段階と、データ単位を搬送する無線信号を別の装置に送信する段階であって、当該別の装置はこれら２つの装置の間で送信するためのリソースを割り当てる、段階とを含む。
【０００９】
本開示の複数の態様によって、装置内のプロセッサに通信用のオペレーションを実行させるためのプログラム命令を格納した非一時的コンピュータ可読媒体が提供される。これらのオペレーションは、データ単位内にバッファ情報報告用のフィールドを設定するオペレーションと、第１のカテゴリの一時保管トラフィックを示す第１の値をスケーリングするための第１のスケール因子と、第２のカテゴリの一時保管トラフィックを示す第２の値をスケーリングするための第２のスケール因子とを決定するオペレーションと、第１の値を有する第１のスケール因子と第２の値を有する第２のスケール因子とをデータ単位内のフィールドに含めるオペレーションと、データ単位を搬送する無線信号を別の装置に送信する送受信機回路にデータ単位を供給するオペレーションであって、当該別の装置は、これら２つの装置間で送信するためのリソースを割り当てる、オペレーションとを含む。
【図面の簡単な説明】
【００１０】
例として提案される本開示の様々な実施形態が、下記の図を参照して詳細に説明される。ここで、同じ番号は同じ要素を示す。
【００１１】
【図１】本開示の一実施形態によるネットワーク１００のブロック図を示す。
【００１２】
【図２】本開示の一実施形態による工程２００を概説するフローチャートを示す。
【００１３】
【図３】本開示の一実施形態によるデータ単位の一例３００の図式を示す。
【００１４】
【図４】本開示の一実施形態によるデータ単位の一例４００の図式を示す。
【００１５】
【図５】本開示の一実施形態によるデータ単位の一例５００の図式を示す。
【００１６】
【図６】本開示の一実施形態によるトラフィック選択の図式６００を示す。
【００１７】
【図７】本開示の一実施形態によるブロック確認応答要求の図式７００を示す。
【発明を実施するための形態】
【００１８】
図１は、本開示の一実施形態によるネットワーク１００のブロック図を示す。ネットワーク１００は、中央調整方式で無線通信を実施してマルチユーザ（ＭＵ）ダウンリンク送信及び／又はアップリンク送信を可能にする、第１の電子デバイス１１０と、１つ又は複数の第２の電子デバイス１６０ａ〜１６０ｎとを含む。図１の例において、第１の電子デバイス１１０は、第１の電子デバイス１１０と複数の第２の電子デバイス１６０ａ〜１６０ｎとの間の送信用通信チャネルのリソース（例えば、時間、周波数、リソースエレメント、リソース単位）を割り当て、第１の電子デバイス１１０と複数の第２の電子デバイス１６０ａ〜１６０ｎとの間のマルチユーザダウンリンク送信及び／又はアップリンク送信を調整するように構成された中央調整デバイスである。さらに、第１の電子デバイス１１０及び複数の第２の電子デバイス１６０ａ〜１６０ｎは、マルチユーザリソース要求、及びトラフィッククラス選択などの様々なオペレーションを実行して、ＭＵダウンリンク送信及び／又はアップリンク送信をサポートし、スペクトル効率を向上させるように構成される。
【００１９】
ネットワーク１００は、ローカルエリアネットワーク（ＬＡＮ）、無線ＬＡＮ（ＷＬＡＮ）、光ファイバネットワーク、ワイドエリアネットワーク（ＷＡＮ）、ピアツーピアネットワーク、及びインターネットなどの、任意の好適な有線及び無線のネットワーク技術を用いて実現される相互接続を含む。一例において、第１の電子デバイス１１０及び複数の第２の電子デバイス１６０ａ〜１６０ｎは、第１のデバイス１１０と複数の第２のデバイス１６０ａ〜１６０ｎとを相互接続するＷＬＡＮ技術を用いて実現される基本サービスセット（ＢＳＳ）１０１内にある。ネットワーク１００は、ＬＡＮ及び光ファイバネットワークなどの他の好適な相互接続（不図示）を含み、ＢＳＳ１０１を例えばインターネットに接続するために、これらの接続を提供する。
【００２０】
一実施形態において、ＢＳＳ１０１は、インフラストラクチャ型基本サービスセットである。第１の電子デバイス１１０はアクセスポイント（ＡＰ）デバイスであり、複数の第２の電子デバイス１６０ａ〜１６０ｎはステーション（ＳＴＡ）デバイスである。複数の第２の電子デバイス１６０ａ〜１６０ｎは、第１のデバイス１１０を通じて通信し、第１のデバイス１１０は、ブリッジとしての役割を果たすように構成されたネットワークハードウェア及びソフトウェアを含み、複数の第２の電子デバイス１６０ａ〜１６０ｎなどの無線対応デバイスがネットワーク１００の他の構成要素に接続するのを可能にする。
【００２１】
ネットワーク１００内の複数の第２の電子デバイス１６０ａ〜１６０ｎのそれぞれは、デスクトップコンピュータ、ラップトップコンピュータ、タブレットコンピュータ、スマートフォン、携帯情報端末（ＰＤＡ）、スマートウォッチ、スマートカメラ、スマートテレビ、スマート音声録音機、ウェアラブルデバイス、及びセンサなどの任意の好適なデバイスであってよい。本開示の一態様によれば、ネットワーク１００内の複数の第２の電子デバイス１６０ａ〜１６０ｎは、同じバージョン又は異なるバージョンの無線規格、例えば様々なＩＥＥＥ８０２．１１規格などを用いて実現される。
【００２２】
図１の例において、複数の第２の電子デバイス１６０ａ〜１６０ｎは、送信用通信チャネルのリソースを共有し、第１の電子デバイス１１０は、第１の電子デバイス１１０と複数の第２の電子デバイス１６０ａ〜１６０ｎとの間でやり取りされるデータ単位（例えば、フレーム）に送信リソース（例えば、時間、周波数、リソースエレメント、リソース単位）を割り当てるように構成される。複数の第２の電子デバイス１６０ａ〜１６０ｎは、割り当てられたリソースに従って送信を行うように構成される。例えば、一度に、第１の電子デバイス１１０は複数のデータ単位をそれぞれ、複数の第２の電子デバイス１６０ａ〜１６０ｎの中の複数の第２の電子デバイスのグループに送信する計画を立てる。送信に関わる複数の第２の電子デバイスのグループは、対象となる複数の第２の電子デバイスと呼ばれる。第１の電子デバイス１１０は、送信リソースを対象となる複数の第２の電子デバイスに割り当て、送信リソース割り当てに従って、送信を実行して同じ送信でデータ単位をそれぞれ対象となる複数の第２の電子デバイスに送信する。
【００２３】
別の例において、第１の電子デバイス１１０は、複数の第２の電子デバイス１６０ａ〜１６０ｎの中の対象となる複数の第２の電子デバイスから、それぞれデータ単位を受信するように予定する。第１の電子デバイス１１０は、送信リソースを対象となる複数の第２の電子デバイスに割り当てる。対象となる複数の第２の電子デバイスは、同じ期間に送信を実行して、リソース割り当てに従ってデータ単位を第１の電子デバイス１１０にそれぞれ送信する。第１の電子デバイス１１０は、対象となる複数の第２の電子デバイスからこれらのデータ単位を、例えば、同じ予定期間に受信する。
【００２４】
本開示の一態様によれば、第１の電子デバイス１１０及び複数の第２の電子デバイス１６０ａ〜１６０ｎなどのＢＳＳ１０１内のデバイスが、集約手法を用いて、２つ又はそれより多くのデータ単位を送信するように構成される。一実施形態において、第１の電子デバイス１１０は、同じ宛先デバイス（例えば、第２の電子デバイス）への２つ又はそれより多くの媒体アクセス制御（ＭＡＣ）プロトコルデータ単位（ＭＰＤＵ）を集約して、集約ＭＰＤＵ（Ａ−ＭＰＤＵ）を形成する。例えば、第１の電子デバイス１１０は、同じ宛先デバイスへのイーサネット（登録商標）フレーム（例えば、データ単位）を集め、各フレームを個々にＭＡＣヘッダでラップ（ｗｒａｐ）する。次に第１の電子デバイス１１０は、ラップされた複数のフレームをまとめて１つのより大きいフレームにする。この例では、受信側において、宛先デバイスは個々のイーサネット（登録商標）フレームの確認応答を選択的に行うことができる。
【００２５】
別の実施形態において、複数の第２の電子デバイス１６０ａ〜１６０ｎのうちの１つ又は複数は、第１の電子デバイス１１０への２つ又はそれより多くのＭＰＤＵを集約して、Ａ−ＭＰＤＵを形成することができる。例えば、第２の電子デバイス１６０ａ及び第２の電子デバイス１６０ｎはそれぞれ、複数のイーサネット（登録商標）フレーム（例えば、データ単位）を集めて、各フレームを個々にＭＡＣヘッダでラップする。次に、第２の電子デバイス１６０ａ及び第２の電子デバイス１６０ｎはそれぞれ、ラップされた複数のフレームをまとめて１つのより大きいフレームにする。別の実施形態において、複数の第２の電子デバイス１６０ａ〜１６０ｎのうちの１つ又は複数が、単一のＭＰＤＵを第１の電子デバイス１１０に送信する。
【００２６】
一般に、無線通信トラフィックは優先度に従って複数のトラフィッククラスに分類され、当該無線通信トラフィックは、トラフィッククラスに従って一時保管されてキュー（例えば、先入れ先出し方式のキュー）になる。一実施形態において、無線通信トラフィックが、無線通信トラフィックを発生させるアプリケーションに基づいて、まず複数のアクセスカテゴリに分類され、各アクセスカテゴリは異なる優先度の複数のトラフィッククラスを含む。一例において、トラフィッククラスは、トラフィック識別子（ＴＩＤ）として優先度を用いて識別される。
【００２７】
本開示の一態様によれば、第１の電子デバイス１１０及び複数の第２の電子デバイス１６０ａ〜１６０ｎなどの、ＢＳＳ１０１内のデバイスが、異なるトラフィッククラスの通信トラフィックを集約して、送信効率を向上させるように構成される。一例において、第２の電子デバイス１６０ａは、第１のトラフィック識別子の第１のＭＰＤＵ及び第２のトラフィック識別子の第２のＭＰＤＵを集約して、第１の集約Ａ−ＭＰＤＵを形成する。また第２の電子デバイス１６０ｎは、第３のトラフィック識別子の第３のＭＰＤＵ及び第４のトラフィック識別子の第４のＭＰＤＵを集約して、第２の集約Ａ−ＭＰＤＵを形成する。この例において、第１の集約Ａ−ＭＰＤＵ及び第２の集約Ａ−ＭＰＤＵは、送信機会（ＴＸＯＰ）の間に、それぞれ第２の電子デバイス１６０ａ及び第２の電子デバイス１６０ｎによって同期して送信される。一例において、第１のトラフィック識別子は第２のトラフィック識別子と同じである。別の例において、第１のトラフィック識別子は第２のトラフィック識別子と異なる。別の例において、第１の集約Ａ−ＭＰＤＵのトラフィッククラスは、第２の集約Ａ−ＭＰＤＵのトラフィッククラスと同じである。別の例において、第１の集約Ａ−ＭＰＤＵのトラフィッククラスは、第２の集約Ａ−ＭＰＤＵのトラフィッククラスと異なる。別の実施形態において、２つより多くのトラフィック識別子のＭＰＤＵが、１つのＡ−ＭＰＤＵに集約される。
【００２８】
本開示の一態様によれば、第１の電子デバイス１１０は、複数の第２の電子デバイス１６０ａ〜１６０ｎからのリソース要求に応答して、トラフィッククラスを選択するように構成される。一実施形態において、複数の第２の電子デバイス１６０ａ〜１６０ｎは、通信チャネルリソースを効率的に用いてリソース要求を提供するように構成される。一例において、リソース要求は、バッファ情報報告の形で提供される。この例において、複数の第２の電子デバイス１６０ａ〜１６０ｎは、２つ又はそれより多くのトラフィッククラスに関するバッファ報告を１つのデータ単位で送信するように構成される。さらに、複数の第２の電子デバイス１６０ａ〜１６０ｎは、バッファ報告を有する複数のデータ単位を集約して集約データ単位にするよう構成されるので、複数のトラフィッククラスのバッファ報告が、一例において、１回のアップリンク送信で提供され得る。バッファ報告を搬送するデータ単位の例が、図３〜図５に示されており、図３〜図５を参照して詳細に論じられることになる。
【００２９】
具体的には、図１の例において、第１の電子デバイス１１０は、図１に示すように一緒に結合された第１の送受信機回路１１３及び第１の処理回路１２０を含む。この例において、第１の送受信機回路１１３は、第１のアンテナ１１４に両方とも結合された第１の受信回路１１６及び第１の送信回路１１５を含み、第１の処理回路１２０は、ＭＰＤＵ及び／又はＡ−ＭＰＤＵの処理、集約Ａ−ＭＰＤＵからのバッファ情報報告の抽出、及び複数ユーザのトラフィッククラスの選択などの、ＭＡＣレイヤのオペレーションを行うように構成されたＭＡＣコントローラ１３０を含む。
【００３０】
第１の送受信機回路１１３は、無線信号を送受信するように構成される。例えば、第１の受信回路１１６は、第１のアンテナ１１４によってとらえられた電磁波に応答して電気信号を発生させ、電気信号を処理して電気信号からデジタルストリームを抽出するように構成される。
一例において、第１の送信回路１１５は、管理フレーム及びデータフレームなどのデジタルストリームを、例えば、第１の処理回路１２０から受信し、デジタルストリームを搬送する無線周波数（ＲＦ）信号を発生させ、第１のアンテナ１１４を介して電磁波を空中に放射して、デジタルストリームを搬送する無線信号を送信するように構成される。
【００３１】
第２の電子デバイス１６０ａは、一緒に結合された第２の送受信機回路１６３ａ及び第２の処理回路１７０ａを含む。第２の送受信機回路１６３ａは、第２のアンテナ１６４ａに両方とも結合された第２の送信回路１６５ａ及び第２の受信回路１６６ａを含む。第２の処理回路１７０ａは、バッファ情報報告の作成、バッファ情報報告を有するフレームの集約、トラフィッククラスの選択、ＭＰＤＵ及び／又はＡ−ＭＰＤＵの生成などの、ＭＡＣレイヤのオペレーションを行うように構成されたＭＡＣコントローラ１８０ａを含む。他の第２の電子デバイスも、第２の電子デバイス１６０ａと同様に構成される。
【００３２】
第２の送受信機回路１６３ａは、無線信号を送受信するように構成される。例えば、第２の受信回路１６６ａは、第２のアンテナ１６４ａによってとらえられた電磁波に応答して電気信号を発生させ、電気信号を処理して電気信号からデジタルストリームを抽出するように構成される。一例において、第２の送信回路１６５ａは、管理フレーム及びデータフレームなどのデジタルストリームを、例えば、処理回路１７０ａから受信し、デジタルストリームを搬送する無線周波数（ＲＦ）信号を発生させ、第２のアンテナ１６４ａを介して電磁波を空中に放射して、デジタルストリームを搬送する無線信号を送信するように構成される。
【００３３】
本開示の一態様によれば、ＭＡＣコントローラ１８０ａは、２つ又はそれより多くのトラフィッククラスに関するバッファ情報を搬送するデータ単位を生成して、データ単位がより多くのバッファ情報を第１の電子デバイス１１０に搬送することを可能にし、したがって通信効率を向上させるように構成される。一例において、ＭＡＣコントローラ１８０ａは、トラフィッククラスのデータ単位を一時保管するバッファ内の確認応答されていないデータ単位の長さ（例えば、バイト数）をカウントする。バッファ内の確認応答されていないデータ単位の長さは、保留中のアップリンクトラフィックを示し、アップリンク送信リソースを要求するのにバッファ情報として用いられる。
【００３４】
一実施形態において、ＭＡＣコントローラ１８０ａは、長さ情報のスケール因子を決定するように構成される。したがって、長さ情報はビット数を減らして提供されるので、より多くのトラフィッククラスの長さ情報が１つのデータ単位で搬送され得る。別の実施形態において、ＭＡＣコントローラ１８０ａは、複数のトラフィッククラスの長さ情報を合計し、合計した長さ情報をデータ単位に搬送させるように構成される。別の実施形態において、ＭＡＣコントローラ１８０ａは、異なるトラフィッククラスのバッファ情報を有する２つ又はそれより多くのデータ単位を集約して１つの集約データ単位にするように構成されるので、集約データ単位は、より多くのトラフィッククラスのバッファ情報を搬送する。２つ又はそれより多くのトラフィッククラスのバッファ情報を搬送するデータ単位の例が、図３〜図５に示されており、図３〜図５を参照して詳細に論じられることになる。
【００３５】
さらに、本開示の一態様によれば、ＭＡＣコントローラ１３０及び複数のＭＡＣコントローラ１８０ａ〜１８０ｎは、選択されたトラフィッククラスのデータ単位（例えば、ＭＰＤＵ）を集約して、集約データ単位（例えば、Ａ−ＭＰＤＵ）を生成するように構成される。一実施形態において、一次アクセスカテゴリがＡＰデバイス（例えば、第１の電子デバイス１１０）によって選択され、二次アクセスカテゴリがＡＰデバイス又はＳＴＡデバイス（例えば、第２の電子デバイス１６０ａ）によって選択される。ＭＡＣコントローラ１３０及び複数のＭＡＣコントローラ１８０ａ〜１８０ｎは、一次アクセスカテゴリのデータ単位を集約するか、又は二次アクセスカテゴリのデータ単位を集約するか、又は一次アクセスカテゴリ及び二次アクセスカテゴリのデータ単位を集約するように構成される。集約データ単位の例が図６に示されており、図６を参照して詳細に論じられることになる。
【００３６】
さらに、本開示の一態様によれば、ＭＡＣコントローラ１３０は、複数のトラフィッククラスのブロック確認応答要求を搬送するデータ単位を生成するように構成される。一例において、ＭＡＣコントローラ１３０は、複数のトラフィッククラスの複数のブロック確認応答要求フレームをそれぞれ集約して、より大きいフレームにする。別の例において、ＭＡＣコントローラ１３０は、マルチＴＩＤブロック確認応答要求を搬送するフレームを生成する。別の例において、ＭＡＣコントローラ１３０は、マルチＴＩＤブロック確認応答要求をフレームのフィールド、例えば、トリガフレーム内のフィールドなどに挿入する。データ単位の例が、図７に示されており、図７を参照して詳細に論じられることになる。
【００３７】
本開示の別の態様によれば、ＳＴＡデバイスがＡＰデバイスによってマルチユーザ送信に予定されている場合、ＳＴＡデバイスは優先度の低いＥＤＣＡ状態に入る。ＳＴＡデバイスがＡＰデバイスによってマルチユーザ送信に予定されていない場合、ＳＴＡデバイスは優先度の高いＥＤＣＡ状態に入る。高いＥＤＣＡ状態において、ＳＴＡデバイスはＥＤＣＡを用いて、トラフィッククラスの送信機会を獲得し、優先度の高いトラフィッククラスのＥＤＣＡは、より高い送信機会を獲得することができる。一実施形態において、ＳＴＡデバイスが優先度の低いＥＤＣＡ状態にある場合、ＳＴＡデバイスは緊急のＭＰＤＵ（音声アクセスカテゴリの管理フレーム及びブロック確認応答要求フレームなど）を優先度の高いトラフィッククラスのＥＤＣＡを用いて送信することを許可される。
【００３８】
本開示の別の態様によれば、第１の電子デバイス１１０などのＡＰデバイスが、ＢＳＳ１０１の予定／予定外の動作モードを決定することができ、また予定／予定外の動作モードをビーコン／管理フレームを用いてアナウンスすることができる。一例において、ＡＰデバイスは、ＢＳＳ１０１の予定の動作モード及び予定外の動作モードの両方を決定するように構成される。例えば、ＡＰデバイスが予定外の動作モードをアナウンスした場合、全てのＳＴＡデバイスは予定外の動作モードに入り、ＡＰデバイスが予定の動作モードをアナウンスした場合、全てのＳＴＡデバイスは予定の動作モードに入る。
【００３９】
一例において、ＡＰデバイスは、ＢＳＳ１０１の予定外の動作モードを決定するように構成され、ＳＴＡデバイスは動作モードを決定する柔軟性を有する。例えば、ＡＰデバイスが予定外の動作モードをアナウンスした場合、全てのＳＴＡデバイスは予定外の動作モードに入り、ＡＰデバイスが予定の動作モードをアナウンスした場合、各ＳＴＡデバイスは予定の動作モード又は予定外の動作モードのいずれかを決定して、そのモードに入り、アナウンスによってＡＰデバイスに通知する。別の例において、ＡＰデバイスは、ＳＴＡデバイスのそれぞれの動作モードを決定し、決定した動作モードをＳＴＡデバイスに通知するように構成される。
【００４０】
一実施形態において、第１の電子デバイス１１０及び複数の第２の電子デバイス１６０ａ〜１６０ｎは、開放型システム間相互接続モデル（ＯＳＩモデル）に従い、下から上に物理（ＰＨＹ）レイヤ、媒体アクセス制御（ＭＡＣ）レイヤ、及びネットワークレイヤなどの複数のレイヤで実現される。一例において、ＰＨＹレイヤは、処理回路内に送受信機回路及びベースバンド処理回路を含む。一実施形態において、ＭＡＣコントローラ１３０及び複数のＭＡＣコントローラ１８０ａ〜１８０ｎは、複数の回路を用いてＭＡＣレイヤに実装される。別の実施形態において、ＭＡＣコントローラ１３０及び複数のＭＡＣコントローラ１８０ａ〜１８０ｎは、ソフトウェア命令を実行するプロセッサとして実装される。
【００４１】
図１の例では、デバイスごとに単一のアンテナが用いられているが、ネットワーク１００は、複数入力複数出力（ＭＩＭＯ）アンテナ技術を用いるよう適切に修正され得ることに留意されたい。
【００４２】
図２は、本開示の一実施形態による工程２００を概説するフローチャートを示す。一例において、工程２００は、第２の電子デバイス１６０ａなどの第２の電子デバイスによって実行される。この工程はＳ２０１で始まり、Ｓ２１０に進む。
【００４３】
Ｓ２１０で、バッファ情報を報告する決定が行われる。一例において、第２の電子デバイス１６０ａは、第１の電子デバイス１１０からのポーリングメッセージなどの信号に応答して、バッファ情報を報告することを決定する。別の例において、第２の電子デバイス１６０ａはバッファ情報報告を開始する。
【００４４】
Ｓ２２０で、ＱｏＳデータ／空フレームのＭＡＣヘッダ内の制御識別子（ＩＤ）又はＱｏＳ制御フィールドが、バッファ情報報告を示すように構成される。一例において、フレーム内の設定可能なフィールド（例えば、ＨＴ制御フィールド）が複数の目的に用いられ得る。このフィールドは、フレーム内のフィールドの特定の目的を示すように構成され得る制御識別子に割り当てられる１つ又は複数のビットを含む。
【００４５】
Ｓ２３０で、トラフィッククラスに対応するバッファが報告のために選択される。一例において、第２の電子デバイス１６０ａは、報告するトラフィッククラスを決定し、トラフィッククラスを一時保管するバッファを選択する。
【００４６】
Ｓ２４０で、スケール因子がバッファ情報報告のために決定される。一例において、限られた数のビットが一時保管データの長さを報告するのに用いられ、異なるスケール因子が異なる範囲及び異なる解像度に用いられる。この例において、第２の電子デバイス１６０ａは、報告する一時保管データの長さを決定し、この長さに基づいてスケール因子を決定するので、一例においては、限られた数のビットが比較的高い解像度で長さを報告することができる。
【００４７】
Ｓ２５０で、複数のトラフィッククラスのバッファ情報報告を有する設定可能な制御フィールド（例えば、ＨＴ制御フィールド又はＱｏＳ制御フィールド）が生成される。一例において、第２の電子デバイス１６０ａは、制御識別子及びバッファ情報報告を含む制御フィールドを生成する。各バッファ情報報告は、スケール因子及びスケーリング前のバッファ情報を含む。
【００４８】
Ｓ２６０で、設定可能な制御フィールドはデータ単位に含まれる。一例において、第２の電子デバイス１６０ａは、設定可能な制御フィールドでデータ単位を生成する。別の例において、第２の電子デバイス１６０ａは、複数のデータ単位を集約して、集約データ単位を生成する。
【００４９】
Ｓ２７０で、データ単位を搬送する信号が送信される。一例において、第２の電子デバイス１６０ａは、データ単位を第１の電子デバイス１１０に搬送する無線信号を発生させる。第１の電子デバイス１１０は、データ単位内のバッファ情報報告に基づいて、送信リソースの割り当て及びトラフィッククラスの選択などのオペレーションを行うことができる。次に、この工程はＳ２９９に進み終了する。
【００５０】
図３は、本開示の一実施形態によるデータ単位の一例３００の図式を示す。一例において、第２の電子デバイス１６０ａはデータ単位３００を生成して、送信リソースを要求するためにバッファ情報を報告する。データ単位３００は、一例において、媒体アクセス制御（ＭＡＣ）レイヤのデータ単位であり、ＭＡＣプロトコルデータ単位（ＭＰＤＵ）と呼ばれる。データ単位３００は、ＭＡＣヘッダ３１０と、フレーム本体３１１と、フレームチェックシーケンス（ＦＣＳ）フィールド３１２（４オクテット）とを含む。ＭＡＣヘッダ３１０は、フレーム制御フィールド３０１（２オクテット）、デュレ―ションフィールド３０２（２オクテット）、アドレスフィールド３０３〜３０５（それぞれ６オクテット）、シーケンス制御フィールド３０６（２オクテット）、任意選択のアドレスフィールド３０６（６オクテット）、サービス品質（ＱｏＳ）制御フィールド３０８（２オクテット）、及び高スループット（ＨＴ）制御フィールド３２０（４オクテット）などを含む。
【００５１】
一例において、フレーム制御フィールド３０１は一般に、データ単位３００のフレームタイプ（管理フレーム、データフレーム、及び制御フレームなど）を識別する。一例において、デュレ―ションフィールド３０２は、データ単位３００が送信される期間を指定する。一例において、アドレスフィールド３０３〜３０６は、宛先アドレス、送信元アドレス、及びアクセスポイントアドレスを識別する。一例において、シーケンス制御フィールド３０６は、シーケンス番号及び／又はフラグメント番号を追跡する。一例において、ＦＣＳフィールド３１２は誤り検出用のチェックサムを含む。
【００５２】
一実施形態において、ＱｏＳ制御フィールド３０８及びＨＴ制御フィールド３２０は、リソース要求情報を含むように構成される。一例において、ＱｏＳ制御フィールド３０８は、トラフィック識別子（ＴＩＤ）サブフィールド、サービス期間終了（ＥＯＳＰ）サブフィールド、確認応答（ＡＣＫ）ポリシーサブフィールド、予約（ＲＳＶＤ）サブフィールド、及び送信機会（ＴＸＯＰ）デュレ―ション／キュー期間サブフィールドなどの複数のサブフィールドを用いる。一例において、ＴＸＯＰデュレ―ション／キュー期間サブフィールドは８つのビットを有し、送信用の一時保管バイトの長さなどのバッファ情報を搬送するのに用いられる。
【００５３】
図３の例において、ＨＴ制御フィールド３２０はリソース要求情報を搬送するように構成される。例えば、ＨＴ制御フィールド３２０は、ＨＴ制御フィールド３２０の使用を示すのに用いられる２つのビット（例えば、Ｂ０及びＢ１）を含む。図３の例において、Ｂ０及びＢ１は、ＨＴ制御フィールド３２０が８０２．１１ａｘ規格などに従って高効率（ＨＥ）制御として用いられていることを示す値に設定される。さらに、ＨＴ制御フィールド３２０は、制御ＩＤサブフィールド３３１（例えば、４ビット）、サブフィールド３４０（例えば、１３ビット）、及びサブフィールド３７０（例えば、１３ビット）を含む。制御ＩＤサブフィールド３３１は、サブフィールド３４０及び３７０に含まれるバッファ情報報告及び利用可能チャネル報告などの情報のタイプを示す。図３の例において、制御ＩＤサブフィールド３３１は、サブフィールド３４０が第１のバッファ情報報告３４０であり、サブフィールド３７０が第２のバッファ情報報告３７０であることを示す値を有するように構成される。
【００５４】
一例において、第１のバッファ情報報告３４０及び第２のバッファ情報報告３７０は同様に構成される。図３の例において、第１のバッファ情報報告３４０は、トラフィック識別子（ＴＩＤ）サブフィールド３４１及びバッファ情報サブフィールド３５０を含む。一例において、ＴＩＤサブフィールド３４１はトラフィッククラスのトラフィック識別子を指定し、バッファ情報サブフィールド３５０はトラフィッククラス内の一時保管データの量を指定する。一例において、トラフィックは優先順位に従って分類される。例えば、トラフィッククラスの優先順位が、トラフィッククラスのトラフィック識別子として用いられる。
【００５５】
さらに、図３の例において、バッファ情報サブフィールド３５０はスケール因子３５１及びスケーリング前のバッファ情報３５２を含むので、一時保管トラフィックはスケール因子とスケーリング前のバッファ情報との積として計算される。一例において、スケール因子３５１には１ビットが用いられ、スケーリング前のバッファ情報３５２には９ビットが用いられる。例えば、スケール因子３５１が２進の０である場合、スケーリング前のバッファ情報３５２は１６オクテット単位なので、バッファ情報サブフィールド３５０は０〜８１７６オクテットの範囲にあるトラフィックを報告するのに用いられる。スケール因子３５１が２進の１である場合、スケーリング前のバッファ情報３５２は２０４８オクテット単位なので、バッファ情報サブフィールド３５０は０〜１，０４８，６３６オクテットの範囲にあるトラフィックを報告するのに用いられる。
【００５６】
別の例において、スケール因子３５１には２ビットが用いられ、スケーリング前のバッファ情報３５２には８ビットが用いられる。例えば、スケール因子３５１が２進の「００」である場合、スケーリング前のバッファ情報３５２は８オクテット単位なので、バッファ情報サブフィールド３５０は０〜２０４０オクテットの範囲にあるトラフィックを報告するのに用いられる。スケール因子３５１が２進の「０１」である場合、スケーリング前のバッファ情報３５２は６４オクテット単位なので、バッファ情報サブフィールド３５０は６４〜１６，３８４オクテットの範囲にあるトラフィックを報告するのに用いられる。スケール因子３５１が２進の「１０」である場合、スケーリング前のバッファ情報３５２は５１２オクテット単位なので、バッファ情報サブフィールド３５０は５１２〜１３１，０７２オクテットの範囲にあるトラフィックを報告するのに用いられる。スケール因子３５１が２進の「１１」である場合、スケーリング前のバッファ情報３５２は８，１９２オクテット単位なので、バッファ情報サブフィールド３５０は８，１９２〜２，０９７，１５２オクテットの範囲にあるトラフィックを報告するのに用いられる。別の実施形態において、ＱｏＳ制御フィールドの２ビットがスケール因子に用いられ、６ビットがスケーリング前のバッファ情報に用いられる。
【００５７】
一例において、第１のバッファ情報報告３４０及び第２のバッファ情報報告３７０は同様に構成される。したがって、データ単位３００は２つのトラフィッククラスのバッファ情報を報告するのに用いられる。
【００５８】
一例において、フレーム本体３１１が省略され、データ単位３００はデータペイロードを持たないので、空データフレーム又はＱｏＳ空フレームと呼ばれることに留意されたい。一実施形態において、空データフレームは制御フレームとして用いられる。例えば、複数の第２の電子デバイス１６０ａ〜１６０ｎは空データフレームを用いて、制御情報を第１の電子デバイス１１０に提供する。
【００５９】
一実施形態において、ＱｏＳ制御フィールド３０８は、データ単位３００が属する第１のトラフィッククラスのバッファ情報を搬送するように構成され、ＨＴ制御フィールド３２０は、第１のトラフィッククラス以外の第２及び第３のトラフィッククラスのバッファ情報を搬送するように構成される。別の実施形態において、ＱｏＳ制御フィールド３０８は、データ単位３００が属する第１のトラフィッククラスのバッファ情報を搬送するように構成され、ＨＴ制御フィールド３２０は、第１のトラフィッククラスを含む第２及び第３のトラフィッククラスのバッファ情報を搬送するように構成されるので、ＨＴ制御フィールド３２０に含まれる第１のトラフィッククラスのバッファ情報は、ＱｏＳ制御フィールド３０８に含まれるバッファ情報に優先する。
【００６０】
図４は、本開示の一実施形態によるデータ単位の一例４００の図式を示す。一例において、第２の電子デバイス１６０ａはデータ単位４００を生成して、リソース要求のためにバッファ情報を報告する。
【００６１】
データ単位４００は複数のフィールド及びサブフィールドを含み、これらのフィールド及びサブフィールドは、対応するデータ単位３００のフィールド及びサブフィールドと同様に構成される。これらのフィールド及びサブフィールドの説明は上記に提供されているので、ここでは明確さを目的として省略される。
【００６２】
しかしながら、図４の例において、第１のバッファ情報報告サブフィールド４４０は、単一のＴＩＤ指標４４１、ＴＩＤサブフィールド４４５、及びバッファ情報サブフィールド４５０を含む。一例において、単一のＴＩＤ指標４４１は１ビットを含み、このビットは、第１のバッファ情報報告が単一のトラフィッククラスに対するものであるか、又は複数のトラフィッククラスに対するものであるかを示すのに用いられる。例えば、単一のＴＩＤ指標４４１が２進の１である場合、ＴＩＤサブフィールド４４５及びバッファ情報サブフィールド４５０は、単一のトラフィッククラスに用いられる。一例において、ＴＩＤサブフィールド４４５は単一のトラフィッククラスのトラフィック識別子を指定し、バッファ情報サブフィールド４５０は単一のトラフィッククラス内の一時保管データの量を送信のために指定する。
【００６３】
単一のＴＩＤ指標４４１が２進の０である場合、ＴＩＤサブフィールド４４５及びバッファ情報サブフィールド４５０は複数のトラフィッククラスに用いられる。例えば、ＴＩＤサブフィールド４４５は、複数のトラフィッククラスを識別するために予約される。一例において、ＴＩＤサブフィールド４４５は、これらのトラフィッククラスの１つ又は複数のアクセスカテゴリ（ＡＣ）を識別するのに用いられ得る。バッファ情報サブフィールド４５０は、複数のトラフィッククラス内の一時保管データの量を指定する。
【００６４】
さらに、図４の例において、バッファ情報サブフィールド４５０は、スケール因子４５１及びスケーリング前のバッファ情報４５２を含むので、一時保管トラフィックは、スケール因子とスケーリング前のバッファ情報との積として計算される。一例において、スケール因子４５１には１ビットが用いられ、スケーリング前のバッファ情報４５２には８ビットが用いられる。例えば、スケール因子４５１が２進の０である場合、スケーリング前のバッファ情報４５２は３２オクテット単位なので、バッファ情報サブフィールド４５０は０〜８１６０オクテットの範囲にあるトラフィックを報告するのに用いられる。スケール因子４５１が２進の１である場合、スケーリング前のバッファ情報４５２は４０９６オクテット単位なので、バッファ情報サブフィールド４５０は４０９６〜１，０４８，６３６オクテットの範囲にあるトラフィックを報告するのに用いられる。
【００６５】
別の例において、スケール因子４５１には２ビットが用いられ、スケーリング前のバッファ情報４５２には７ビットが用いられる。例えば、スケール因子４５１が２進の「００」である場合、スケーリング前のバッファ情報４５２は８オクテット単位なので、バッファ情報サブフィールド４５０は０〜１０１６オクテットの範囲にあるトラフィックを報告するのに用いられる。スケール因子４５１が２進の「０１」である場合、スケーリング前のバッファ情報４５２は６４オクテット単位なので、バッファ情報サブフィールド４５０は６４〜８，１９２オクテットの範囲にあるトラフィックを報告するのに用いられる。スケール因子４５１が２進の「１０」である場合、スケーリング前のバッファ情報４５２は５１２オクテット単位なので、バッファ情報サブフィールド４５０は５１２〜６５，５３６オクテットの範囲にあるトラフィックを報告するのに用いられる。スケール因子４５１が２進の「１１」である場合、スケーリング前のバッファ情報４５２は８，１９２オクテット単位なので、バッファ情報サブフィールド４５０は８，１９２〜１，０４８，５３６オクテットの範囲にあるトラフィックを報告するのに用いられる。
【００６６】
一例において、第１のバッファ情報報告４４０及び第２のバッファ情報報告４７０は同様に構成される。別の例において、第２のバッファ情報報告４７０は、図３の例の第１のバッファ情報報告３４０と同様に構成される。
【００６７】
一例において、フレーム本体４１１が省略され、データ単位４００はデータペイロードを持たないので、空データフレーム又はＱｏＳ空フレームと呼ばれることに留意されたい。一実施形態において、空データフレームは制御フレームとして用いられる。例えば、複数の第２の電子デバイス１６０ａ〜１６０ｎは空データフレームを用いて、制御情報を第１の電子デバイス１１０に提供する。
【００６８】
図５は、本開示の一実施形態による集約データ単位の一例５００の図式を示す。一例において、第２の電子デバイス１６０ａは集約データ単位５００を生成する。集約データ単位５００はＭＡＣレイヤのデータ単位であり、一例において集約ＭＰＤＵ（Ａ−ＭＰＤＵ）と呼ばれる。
【００６９】
集約データ単位５００は、図５の第１のサブフレーム５１０及び第２のサブフレーム５２０などの複数のサブフレームを含む。サブフレームは、デリミタ、ＭＰＤＵ、及びパディングを含む。例えば、第１のサブフレーム５１０は、第１のデリミタ５１１、第１のＭＰＤＵ５１２、及び第１のパディング５１３を含み、第２のサブフレーム５２０は、第２のデリミタ５２１、第２のＭＰＤＵ５２２、及び第２のパディング５２３を含む。
【００７０】
一実施形態において、集約データ単位５００内の、第１のＭＰＤＵ５１２及び第２のＭＰＤＵ５２２などの複数のデータ単位は、任意の好適なフォーマットを有し得る。一例において、第２の電子デバイス１６０ａは、第１のＭＰＤＵ５１２及び第２のＭＰＤＵ５２２の両方がＱｏＳ空フレームである集約データ単位５００を生成する。一例において、第１のＭＰＤＵ５１２及び第２のＭＰＤＵ５２２は、異なるトラフィッククラスのバッファ情報を搬送するように構成される。一例において、第１のＭＰＤＵ５１２及び第２のＭＰＤＵ５２２は異なるトラフィック識別子（ＴＩＤ）を有するので、第１のＭＰＤＵ５１２及び第２のＭＰＤＵ５２２のＱｏＳ制御フィールドは異なるトラフィッククラスの異なるバッファ情報を有する。一実施形態において、第１の電子デバイス１１０は、複数ＳＴＡのブロック確認応答（Ｍ−ＢＡ）を用いて、異なるＴＩＤを有する受信したＱｏＳ空フレームの確認応答を行う。例えば、Ｍ−ＢＡは第１のＴＩＤを有する第１のＭＰＤＵ５１２の受信に成功したことを示す第１の指標を含み、また第２のＴＩＤを有する第２のＭＰＤＵ５２２の受信に成功したことを示す第２の指標を含む。別の実施形態において、第１の電子デバイス１１０は、異なるＴＩＤを有する受信したＱｏＳ空フレームの確認応答を行わない。
【００７１】
図６は、本開示の一実施形態によるトラフィック選択の図式６００を示す。この図式は、トラフィック分類の表６１０を示す。図６の例では、４つのアクセスカテゴリが規定されている。この４つのアクセスカテゴリは、音声アプリケーション用の通信セッション（音声）、映像アプリケーション用の通信セッション（映像）、ベストエフォート型通信で十分なアプリケーション用の通信セッション（ベストエフォート）、及びバックグラウンド通信で十分なアプリケーション用の通信セッション（バックグラウンド）に対応する。
【００７２】
さらに、図６の例において、アクセスカテゴリごとに、２つの優先順位がアクセスカテゴリを共有する。一例において、８つの優先順位のそれぞれは、３ビットワードを用いてアドレス指定可能である。一実施形態において、これらの優先順位に従って、トラフィックが分類されて一時保管され、一例において、優先順位はトラフィック識別子（ＴＩＤ）として用いられる。
【００７３】
本開示の一態様によれば、Ａ−ＭＰＤＵを用いるダウンリンク送信及びアップリンク送信が、一次アクセスカテゴリ及び／又は二次アクセスカテゴリからのトラフィックを含む。一実施形態において、複数ユーザの送信機会が拡張型分散チャネルアクセス（ＥＤＣＡ）を通じて取得され、ＡＰデバイス／ＳＴＡデバイスは異なるＳＴＡデバイスに対して異なるトラフィッククラスを選択することができる。一実施形態において、各アクセスカテゴリは対応するバックオフカウンタを有する。この実施形態において、特定のバックオフカウンタがＥＤＣＡの間にゼロまでカウントを減らした場合、複数ユーザの送信機会の期間は、特定のバックオフカウンタに対応するアクセスカテゴリによって規定される。この実施形態において、２つ又はそれより多くのバックオフカウンタが同時にゼロまでカウントを減らした場合、２つ又はそれより多くのバックオフカウンタに対応するアクセスカテゴリの中で、最優先のアクセスカテゴリが選択され、複数ユーザの送信機会の期間は最優先のアクセスカテゴリによって規定される。
【００７４】
別の実施形態において、複数ユーザの送信機会がターゲット起動時間（ＴＷＴ）を通じて取得され、次に、複数ユーザの送信機会の期間がＴＷＴサービス期間に基づいて規定される。
【００７５】
一実施形態において、ＡＰデバイスは、ダウンリンク送信又はアップリンク送信の一次アクセスカテゴリを決定する。一例において、ＡＰデバイス又はＳＴＡデバイスは、一次アクセスカテゴリに基づいて、図６のＡ−ＭＰＤＵ６２０などの単一ＴＩＤのＡ−ＭＰＤＵを生成する。一次アクセスカテゴリから利用できるＭＰＤＵがない場合（例えば、一次アクセスカテゴリのバッファが空の場合）、一例において、ＡＰデバイス又はＳＴＡデバイスは二次アクセスカテゴリを決定する。次に、ＡＰデバイス又はＳＴＡデバイスは、二次アクセスカテゴリに基づいて、図６のＡ−ＭＰＤＵ６３０などの単一ＴＩＤのＡ−ＭＰＤＵを生成する。別の実施形態において、ＳＴＡデバイスは、単一ＴＩＤのＡ−ＭＰＤＵ内の集約ＭＰＤＵのトラフィック識別子に関する最終決定を行う。
【００７６】
一例において、複数ＴＩＤのＡ−ＭＰＤＵが許容される場合、ＡＰデバイス又はＳＴＡデバイスは、まずＡ−ＭＰＤＵ内の一次アクセスカテゴリのＭＰＤＵを集約する。Ａ−ＭＰＤＵに空きスペースがある場合、ＡＰデバイス又はＳＴＡデバイスは二次アクセスカテゴリを決定し、図６のＡ−ＭＰＤＵ６４０などの、Ａ−ＭＰＤＵ内の二次アクセスカテゴリのＭＰＤＵを集約する。別の実施形態において、ＳＴＡデバイスが、複数ＴＩＤのＡ−ＭＰＤＵ内の集約ＭＰＤＵのトラフィック識別子に関する最終決定を行う。
【００７７】
本開示の一態様によれば、ＡＰデバイスが複数ユーザのブロック確認応答を受信できない場合、ＡＰデバイスは、Ａ−ＭＰＤＵ又はＶＨＴ単一ＭＰＤＵ内のブロック確認応答要求（ＢＡＲ）フレームを集約し、Ａ−ＭＰＤＵ又はＶＨＴ単一ＭＰＤＵを搬送する信号を送信する。
【００７８】
図７は、本開示の一実施形態によるＡ−ＭＰＤＵ７１０〜７３０の例を示す。
【００７９】
Ａ−ＭＰＤＵ７１０は、複数のＢＡＲフレーム７１２及び７１５を含む。一例において、ＢＡＲフレーム７１２及び７１５のそれぞれは、異なるＴＩＤのブロック確認応答を要求する。
【００８０】
Ａ−ＭＰＤＵ７１０は、データフレーム及び管理フレームなどの他の好適なフレームを含んでも又は含まなくてもよいことに留意されたい。一例において、Ａ−ＭＰＤＵ７１０はトリガフレーム７１８を含む。別の例において、Ａ−ＭＰＤＵ７１０はトリガフレーム７１８を含まない。
【００８１】
Ａ−ＭＰＤＵ７２０はマルチＴＩＤのＢＡＲフレーム７２２を含む。一例において、マルチＴＩＤのＢＡＲフレーム７２２は、複数ＴＩＤのブロック確認応答を要求する。
【００８２】
Ａ−ＭＰＤＵ７２０は、データフレーム及び管理フレームなどの他の好適なフレームを含んでも又は含まなくてもよいことに留意されたい。一例において、Ａ−ＭＰＤＵ７２０はトリガフレーム７２８を含む。別の例において、Ａ−ＭＰＤＵ７２０はトリガフレーム７２８を含まない。
【００８３】
Ａ−ＭＰＤＵ７３０はトリガフレーム７３２を含む。トリガフレームは、複数ＴＩＤのブロック確認応答要求を搬送する特定のフィールドを含む。
【００８４】
ハードウェアで実現される場合、そのハードウェアは、ディスクリート部品、集積回路、特定用途向け集積回路（ＡＳＩＣ）などのうちの１つ又は複数を含み得る。
【００８５】
本開示の複数の態様が、例として提案される具体的な実施形態と共に説明されてきたが、これらの例に対して代替例、修正例、及び変形例が作られてもよい。したがって、本明細書に記載される実施形態は、例示的なものであって、限定するものではないことが意図されている。以下に記載される特許請求の範囲の範囲から逸脱することなく、変更が施されてもよい。
【図１】
2019519162.tif 000003
【図２】
2019519162.tif 000004
【図３】
2019519162.tif 000005
【図４】
2019519162.tif 000006
【図５】
2019519162.tif 000007
【図６】
2019519162.tif 000008
【図７】
2019519162.tif 000009
【国際調査報告】
2019519162.tif 000010
2019519162.tif 000011
2019519162.tif 000012
2019519162.tif 000013